(57)【特許請求の範囲】
【請求項１】
建造物の開口部で開閉される遮蔽部材と、
前記遮蔽部材を収納する収納筐体と、
前記収納筐体に収納され前記遮蔽部材を開閉する駆動部材と、
前記収納筐体の上面と前面と下面の一部とを覆う面を有するカバーと、
前記収納筐体に設けられ前記カバーを横方向へ移動可能に案内するガイド部材と、を備え、
前記ガイド部材の上面に第２の凹部を形成され、前記ガイド部材と前記カバーとの間に弾性材が挟まれる、
建造物開口部用開閉体。
【請求項２】
請求項１に記載の建造物開口部用開閉体であって、
前記ガイド部材には、挿入口を有する第１の凹部を形成する様に後端を上側に折返されて前記カバーの後端に形成された被係合部を挿入される係合部が形成される、
建造物開口部用開閉体。
【請求項３】
請求項１または２に記載の建造物開口部用開閉体であって、
前記ガイド部材には、前記カバーの前記被係合部に連続的に形成され前記被係合部と直角になる面を有する、
建造物開口部用開閉体。
【請求項４】
請求項１乃至３に記載の建造物開口部用開閉体であって、
前記ガイド部材には前記駆動部材の配線を通す中空形状部が形成されている、
建造物開口部用開閉体。
【発明の詳細な説明】
【技術分野】
【０００１】
本発明は、複数の方向に係脱可能な上カバーを有する建造物開口部用開閉体に関する。
【背景技術】
【０００２】
従来技術の建造物開口部用開閉体として、駆動部材を収納するケースは、ケースの上部に略水平に設けられた上カバー（前カバー）と、上カバーの前縁に上縁を着脱自在に接合された状態で配置された前カバーと前カバーの下端部と接する下カバーとを備えており、前カバーが上カバーに対し係脱自在で、前カバーの係合部を上カバーの受け部に対し上前方に回動して前カバーを引き出すことにより、上カバーに対し前カバーを取り外し自在としたものがある（例えば、特許文献１参照。）。
【０００３】
また、上カバー（第１のカバー）及び下カバー（第２のカバー）を係合して１つのケースとする建造物開口部用開閉体（ロールスクリーン用ケース）において、該第１のカバーは外方に突出する第１及び第２の突出壁により形成された係合凹部を有し、該第２のカバーはその先端に第２の突出壁の係合突起と係合する係合突起を有する係合凸部を有しているものがある（例えば、特許文献２参照。）。
【先行技術文献】
【特許文献】
【０００４】
【特許文献１】特開２０１１−０８０３２１号公報
【特許文献２】特開２００３−０２０８８３号公報
【発明の概要】
【発明が解決しようとする課題】
【０００５】
しかしながら特許文献１の建造物開口部用開閉体では、上カバーの取付けまたは取外し方向がシャッターボックスの上方向の１方向のみになっている。これにより、シャッターボックスの上方向に家の軒が迫っていると云った場合には、上カバーの取付けまたは取外しの際に上カバーを軒に接触させて傷付けたり、上カバーを外せないと云う問題がある。
【０００６】
また、特許文献２の建造物開口部用開閉体では、ケースは、上カバーの取付けまたは取外し方向がロールスクリーンの上方向の１方向のみになっている。これにより、ロールスクリーンの上方向に家の軒が迫っていると云った場合には、上カバーを軒に接触させて傷付けたり、上カバーを外せないと云う問題がある。
【０００７】
本発明は上記問題点に鑑みて成されたものであり、軒が迫っている場合でも上カバーの傷付きを防止して、上カバーを下カバーに係脱可能にすることが出来る、建造物開口部用開閉体を提供することを目的とする。
【課題を解決するための手段】
【０００８】
本発明の第１の課題解決手段は、建造物の開口部で開閉される遮蔽部材と、前記遮蔽部材を収納する収納筐体と、前記収納筐体に収納され前記遮蔽部材を開閉する駆動部材と、前記収納筐体の上面と前面と下面の一部とを覆う面を有するカバーと、前記収納筐体に設けられ前記カバーを横方向へ移動可能に案内するガイド部材と、を備え、前記ガイド部材の上面に第２の凹部を形成され、前記ガイド部材と前記カバーとの間に弾性材が挟まれる、構成である。
【０００９】
本発明の第２の課題解決手段は、前記ガイド部材には、挿入口を有する第１の凹部を形成する様に後端を上側に折返されて前記カバーの後端に形成された被係合部を挿入される係合部が形成される、構成である。
【００１０】
また、本発明の第３の課題解決手段は、前記ガイド部材には、前記カバーの前記被係合部に連続的に形成され前記被係合部と直角になる面を有する、構成である。
【００１１】
また、本発明の第４の課題解決手段は、前記ガイド部材には前記駆動部材の配線を通す中空形状部が形成されている、構成である。
【００１２】
また、本発明の第５の課題解決手段は、前記ガイド部材の上面に第２の凹部を形成し、前記ガイド部材と前記カバーとの間に弾性材を挟む、構成である。
【発明の効果】
【００１３】
本発明の第１の課題解決手段は、本発明の建造物開口部用開閉体は、カバーを横方向に係脱させることで、カバーに軒が迫っている場合でもカバーの傷付きを防止してカバーを収納筐体（下カバー）に対して係脱可能に出来る。さらに、本発明の建造物開口部用開閉体は、ガイド部材の上面に第２の凹部を形成し、ガイド部材とカバーとの間に弾性材を挟むことで、駆動部材から発生した音や振動が収納筐体とカバーの間で共鳴増幅されることを防止出来る。
【００１４】
また、本発明の第２の課題解決手段は、ガイド部材が挿入口を有する第１の凹部を形成する様に後端を上側に折返し前記被係合部を挿入する係合部が形成されることで、カバーの横に壁が迫っている場合でもカバーの傷付きを防止してカバーを収納筐体に対して係脱可能に出来る。
【００１５】
また、本発明の第３の課題解決手段は、本発明の建造物開口部用開閉体は、カバーには被係合部に連続的に形成され被係合部と直角な面を有することで、カバーの撓みや前側へのズレによる被係合部の係合部からの抜けを防止出来る。
【００１６】
また、本発明の第４の課題解決手段は、本発明の建造物開口部用開閉体は、ガイド部材に駆動部材の配線を通す孔が形成されていることで、製造時やメンテナンス時にカバーを収納筐体に対して係脱する際に配線の噛込みを防止出来る。
【図面の簡単な説明】
【００１８】
【図１】本発明の建造物開口部用開閉体の説明図
【図２】建造物開口部用開閉体のサイドキャップを外した状態の斜視説明図
【図３】係合部と被係合部の周辺の拡大図
【図４】カバーを回転して取外す際にカバーが建造物の軒に当たる場合の説明図
【図５】カバーを横カバーの右方向又は左方向へスライドさせて下カバーに対して係脱させる説明図
【発明を実施するための形態】
【００１９】
以下に本発明の実施の形態を図面に基づいて詳細に説明する。
【００２０】
図１は、本発明のシャッター１１（建造物開口部用開閉体）の説明図である。本発明のシャッター１１は、建造物１のサッシ窓２（開口部）の上部左右で建造物１にねじ締結される２個のブラケット２０を備えている。ブラケット２０には、２個の横カバー３０（横側面）と、その間にねじ締結されるガイド部材５０（図２参照）と、同じくその間にねじ締結される梁６０（図２参照）と、ガイド部材５０に着脱可能に係合される上カバー４０（カバー）と、から成る収納筐体１２が着脱可能に引掛けられている。収納筐体１２には、駆動部材１３と、駆動部材１３によって上下に移動するスラット１４（遮蔽部材）と、が内蔵されている。駆動部材１３には、駆動部材１３の動作を制御する制御部１６が内蔵されている。２つの横カバー３０の外側には、外観意匠面となるサイドキャップ３８がそれぞれねじ締結されている。２つの横カバー３０の下方には、スラット１４を上下にガイドする２本のガイドレール１５が取付け枠４を介して建造物１に締結されている。スラット１４が全閉の時にはスラット１４がサッシ窓２の全面を覆い、スラット１４が全開の時にはスラット１４がサッシ窓２の全面を剥き出しにする様に、２本のガイドレール１５の間にはスラット１４が挿入されている。スラット１４の先端は、スラット１４が全開の時でもガイドレール１５の間から外れない様に、２本のガイドレール１５の間に挿入されている。
【００２１】
図２は、建造物開口部用開閉体１１のサイドキャップ３８を外した状態の斜視説明図である。左の横カバー３０の略中央部の駆動部材孔３３の内側に折込まれた第１固定リブ３０ａと第２固定リブ３０ｃとには、それぞれ第１ねじ貫通孔３０ｂと第２ねじ貫通孔３０ｄとが形成されている。駆動部材１３は、留めリブ１３ａによって駆動部材孔３３に位置決めされている。位置決めにより、第１ねじ貫通孔３０ｂには駆動部材１３の第３ねじ貫通孔１３ｂが、第２ねじ貫通孔３０ｄには駆動部材１３の第４ねじ貫通孔１３ｃが、それぞれ重ね合わせられ、固定ねじ１３ｄが挿入されている。この状態で、固定ねじ１３ｄのねじ端部にはナット１３ｅが回転螺合され、固定ねじ１３ｄとナット１３ｅによって横カバー３０と駆動部材１３とが締結されている。左右の横カバー３０の後部上端部３１の間には、ガイド部材５０がねじ５５で締結されている。左右の横カバー３０の前部上端部３２の間には梁６０がねじ６５で締結されている。
【００２２】
ガイド部材５０の後端には、上カバー４０と係合する係合部５２が形成されている。上カバー４０の後端には、係合部５２と係合される被係合部４２が形成されている。被係合部４２は、上カバー４０の後端のみに形成されており、上カバー４０の意匠面である上面４４や前面４５には掛かっていない。
【００２３】
図３は、係合部５２と被係合部４２の周辺の拡大図である。ガイド部材５０の後端は、被係合部４２が入る様にＵ字形状に折返されており、Ｕ字形状部５１（挿入口を有する第１の凹部）の上面側に係合部５２が形成されている。係合部５２の下に位置するＵ字形状部５１の下側面５１ａの前方は、被係合部４２が係合部５２に係合された際に被係合部４２が前側に移動して係合部５２から抜けることを防止する為の、下側面５１ａに対して略直角で上側に向かう様に連続形成された第１抜け防止面５３（被係合部と直角になる面）を有している。係合部５２と下側面５１ａの間には、Ｕ字形上の底部５１ｃが形成されている。係合部５２と底部５１ｃと下側面５１ａと第１抜け防止面５３とは、ガイド部材５０の後端の左右方向全体に形成されている。上カバー４０の後端には、係合部５２に挿入可能な平面状の被係合部４２が形成されている。被係合部４２の前側は、第１抜け防止面５３に対応する幅と高さを有し被係合部４２に対して略直角で上側に向かう様に連続形成された第２抜け防止面４３を有している。第２抜け防止面４３の前側は、第２抜け防止面４３に対して略直角で前側に向かう様に連続形成された上面４４を有している。被係合部４２と第２抜け防止面４３とは、上カバー４０の後端の左右方向全体に形成されている。被係合部４２は、上カバー４０がガイド部材５０に対して左右または上下に係脱可能な様に係合部５２に挿入されている。
【００２４】
ガイド部材５０の上側中央には、第２の凹部５６が形成され、上カバー４０との間にエチレンプロピレンジエンゴム（ＥＰＤＭ）製のクッション材７０（弾性材）が挟まれている。ガイド部材５０の下側には、中空形状部５７が形成されている。中空形状部５７には、駆動部材１３と制御部１６の間に繋がれた電源コードや信号コードと云った電気コード７１が通されている。
【００２５】
なお、Ｕ字形状はＣ字形状といった他の形状にすることも可能である。クッション材７０は、滑り製の良いフッ素ゴムと云った他の弾性材で代用することも可能である。
【００２６】
以下に、本発明の建造物開口部用開閉体１１の、実施形態１の動作について、説明する。
【００２７】
上カバー４０をブラケット２０に係合させる際には、図３の状態で、上カバー４０は、被係合部４２をガイド部材５０と梁６０に対して上方に浮かせながら後ろ側に挿入される。その後、上カバー４０の被係合部４２は、被係合部４２の先端をＵ字形状部５１の入口５１ｂに当てられ、図中ＣＷ方向（時計方向）に回転されながらＵ字形状部５１の中に挿入される。これにより、被係合部４２は、係合部５２によって上側への動きを規制され、第２抜け防止面４３によって前側への動きを規制され、梁６０またはＵ字形状部５１の底部５１ｃによって後ろ側への動きを規制され、Ｕ字形状部５１の下側面５１ａによって下側への動きを規制される。これにより、被係合部４２は、係合部５２と係合される。上カバー４０は、係合部５２と自重とガイド部材５０の後部上端部５４によって上側への動きを規制され、第２抜け防止面４３によって前側への動きを規制され、梁６０またはＵ字形状部５１の底部５１ｃによって後ろ側への動きを規制され、Ｕ字形状部５１の下側面５１ａとガイド部材５０の後部上端部５４によって下側への動きを規制される。これにより、上カバー４０は、ガイド部材５０と横カバー３０を介してブラケット２０に係合される。
【００２８】
係合を外す際には、図３の状態で、上カバー４０の被係合部４２は、図中ＣＣＷ方向（反時計方向）に回転されながらＵ字形状部５１から抜かれる。その後、上カバー４０は、被係合部４２をガイド部材５０と梁６０に対して上方に浮かせながら前側に引抜かれる。
【００２９】
図４の様に、上カバー４０をブラケット２０に対して回転させながら係脱させる際に上カバー４０の上面４４が建造物１の軒３に当たる場合には、図５の様に上カバー４０を横カバー３０の右方向又は左方向へスライドさせてブラケット２０に対して係脱させる。この際、上カバー４０の被係合部４２は、係合部５２によって上側への動きを規制され、第２抜け防止面４３によって前側への動きを規制され、梁６０またはＵ字形状部５１の底部５１ｃによって後ろ側への動きを規制され、Ｕ字形状部５１の下側面５１ａによって下側への動きを規制される。これにより、上カバー４０は、ブラケット２０から脱落しない。但し、上カバー４０の被係合部４２は、横カバー３０の右方向又は左方向には規制を受けていない。これにより、上カバー４０は、横カバー３０の右方向又は左方向にスライドさせてブラケット２０に対して係脱させることが出来る。
【００３０】
以下に、本発明の建造物開口部用開閉体１１の効果について、説明する。
【００３１】
本発明の第１の課題解決手段は、本発明の建造物開口部用開閉体１１は、上カバー４０をブラケット２０の横方向にスライドさせることで上カバー４０に軒３が迫っている場合でも上カバー４０の上面４４の傷付きを防止して、上カバー４０をブラケット２０に係脱可能にすることが出来る。被係合部４２は、上カバー４０の意匠面である上面４４や前面４５には掛かっておらず上面４４や前面４５との間に第２抜け防止面を介して形成されている為、上面４４や前面４５へ加工歪やヒケや組立て後の応力歪と云った悪影響を与えない。
【００３２】
また、本発明の第２の課題解決手段は、ガイド部材５０が挿入口５１ｂを有する第１の凹部５６を形成する様に後端を上側に折返し被係合部４２を挿入する係合部５２が形成されることで、カバー４０の横に壁が迫っている場合でもカバー４０の傷付きを防止してカバー４０を収納筐体１２に対して係脱可能に出来る。
【００３３】
また、本発明の第３の課題解決手段は、本発明の建造物開口部用開閉体１１は、上カバー４０には被係合部４２に隣接して被係合部４２と直角になる面５３が形成されることで、上カバー４０の撓みや前側へのズレによる被係合部４２の係合部５２からの抜けを防止することが出来る。
【００３４】
また、本発明の第４の課題解決手段は、本発明の建造物開口部用開閉体１１は、ガイド部材５０に駆動部材１３の電気コード７１を通す中空系上部５７を形成することで、製造時やメンテナンス時に上カバー４０をブラケット２０に組付ける際に電気コード７１の噛込みを防止することが出来る。
【００３５】
また、本発明の第５の課題解決手段は、本発明の建造物開口部用開閉体１１は、ガイド部材５０の上面に第２の凹部５６を形成して上カバー４０との間にクッション材７０を挟むことで、駆動部材１３から発生した音や振動がブラケット２０と上カバー４０の間で共鳴増幅されることを防止出来る。
【符号の説明】
【００３６】
１  建造物
２  開口部
１１  シャッター（建造物開口部用開閉体）
１２  収納筐体
１３  駆動部材
１４  スラット（遮蔽部材）
１５  ガイドレール
１６  制御部
２０  ブラケット
３０  横カバー（横側部）
３１  後部上端部
３２  前部上端部
４０  上カバー（カバー）
４２  被係合部
４３  第２抜け防止面
４４  上面
４５  前面
５０  ガイド部材
５１  Ｕ字形状部（挿入口を有する第１の凹部）
５１ａ  下側面
５１ｂ  入口
５１ｃ  底部
５２  係合部
５３  第１抜け防止面（被係合部と直角になる面）
５４  上端部
５６  第２の凹部
５７  中空形状部
６０  梁
７０  クッション材（弾性材）
７１  電気コード
【図１】
0005978651.tif 000002
【図２】
0005978651.tif 000003
【図３】
0005978651.tif 000004
【図４】
0005978651.tif 000005
【図５】
0005978651.tif 000006